(57)【要約】【課題】  測温作業が効率化された放射温度計を提供することである。【解決手段】  本体部１００Ｂの記憶部９５は、複数のバンクＢ１〜Ｂ３を含む。バンクＢ１に第１の放射率および第１のしきい値が記憶され、バンクＢ２に第２の放射率および第２のしきい値が記憶され、バンクＢ３に第３の放射率および第３のしきい値が記憶されている。使用者が操作設定部９６を操作してバンクを選択することによりＣＰＵ９３に与えられる放射率およびしきい値が決定される。ＣＰＵ９３は、与えられた放射率およびしきい値に基づいて、アナログ信号ＡＯ、デジタル信号ＤＯおよび検出信号ＤＥＴを出力する。【選択図】        図４
2006194805.tif 000002
【特許請求の範囲】
【請求項１】
測定対象物からの赤外線エネルギーを検出する赤外線検出手段と、
物体の放射率をそれぞれ記憶する複数の記憶領域を含む記憶手段と、
前記記憶手段の前記複数の記憶領域のいずれかを選択する選択手段と、
前記赤外線検出手段により検出された赤外線エネルギーおよび前記選択手段により選択された前記記憶領域に記憶される放射率に基づいて前記測定対象物の温度を算出する算出手段と、
前記測定対象物の検出のためのしきい値を設定する設定手段と、
前記算出手段により算出された前記測定対象物の温度と前記設定手段により設定された前記しきい値とを比較することにより前記測定対象物の検出状態を判定する判定手段と、
前記算出手段により算出された温度を出力する温度出力部と、
前記判定手段の判定結果を出力する判定結果出力部とを備えたことを特徴とする放射温度計。
【請求項２】
前記複数の記憶領域は、さらに前記設定手段により設定されたしきい値をそれぞれ記憶し、
前記判定手段は、前記算出手段により算出された前記測定対象物の温度と前記選択手段により選択された前記記憶領域に記憶されたしきい値とを比較することにより前記測定対象物の検出状態を判定することを特徴とする請求項１記載の放射温度計。
【請求項３】
測定対象物からの赤外線エネルギーを検出する赤外線検出手段と、
物体の放射率をそれぞれ記憶する複数の記憶領域を含む記憶手段と、
前記赤外線検出手段により検出された赤外線エネルギーおよび前記複数の記憶領域にそれぞれ記憶された放射率に基づいて前記測定対象物の温度をそれぞれ算出する算出手段と、
前記算出手段により算出された複数の温度をそれぞれ出力する複数の温度出力部とを備えたことを特徴とする放射温度計。
【請求項４】
前記複数の記憶領域は、さらに前記測定対象物の検出のためのしきい値をそれぞれ記憶し、
前記算出手段により算出された複数の温度と前記複数の記憶領域にそれぞれ記憶されたしきい値とを比較することにより前記測定対象物の検出状態をそれぞれ判定する判定手段と、
前記判定手段による複数の判定結果をそれぞれ出力する複数の判定結果出力部とをさらに備えたことを特徴とする請求項３記載の放射温度計。
【請求項５】
測定対象物からの赤外線エネルギーを検出する赤外線検出手段と、
複数の記憶領域を含みかつ各記憶領域が複数の物体の放射率を記憶する記憶手段と、
前記複数の記憶領域のいずれかを選択する選択手段と、
前記赤外線検出手段により検出された赤外線エネルギーおよび前記選択手段により選択された記憶領域に記憶された複数の放射率に基づいて前記測定対象物の温度をそれぞれ算出する算出手段と、
前記算出手段により算出された複数の温度をそれぞれ出力する複数の温度出力部とを備えたことを特徴とする放射温度計。
【請求項６】
前記記憶手段の各記憶領域は、前記測定対象物の検出のために前記複数の放射率と対応付けられた複数のしきい値をさらに記憶し、
前記算出手段により算出された複数の温度の各々と前記選択手段により選択された記憶領域に記憶された対応するしきい値とを比較することにより前記測定対象物の検出状態をそれぞれ判定する判定手段と、
前記判定手段による複数の判定結果をそれぞれ出力する複数の判定結果出力部とをさらに備えたことを特徴とする請求項５記載の放射温度計。
【発明の詳細な説明】
【技術分野】
【０００１】
本発明は、物体から放射される赤外線エネルギーを検出することによりその物体の温度を測定する放射温度計に関する。
【背景技術】
【０００２】
放射温度計は、測定対象物から放射される赤外線エネルギーを検出し、その赤外線エネルギーを測定対象物の放射率で補正することにより測定対象物の実際の温度を測定するものである（例えば、特許文献１参照）。このような放射温度計は、測定対象物と非接触で測温を行うことができるので、熱伝導率の悪い物体や熱容量の小さい物体でも正確に温度を測定することができる。また、移動物体や回転体の温度も高速かつ高精度に測定することができる。したがって、放射温度計は、例えばファクトリーオートメーション（ＦＡ）において、種々の物体の温度管理に用いられている。
【特許文献１】特開平８−２７８２０３号公報
【発明の開示】
【発明が解決しようとする課題】
【０００３】
しかしながら、放射率は物体により異なるので、測定対象物ごとに放射率を設定する必要がある。したがって、作業者は、測定対象物の放射率を覚えておくか、あるいは測温の際に放射率表を常に携行しなければならない。そのため、測温に手間がかかり、作業効率が低下する。
【０００４】
本発明の目的は、測温作業が効率化された放射温度計を提供することである。
【課題を解決するための手段】
【０００５】
第１の発明に係る放射温度計は、測定対象物からの赤外線エネルギーを検出する赤外線検出手段と、物体の放射率をそれぞれ記憶する複数の記憶領域を含む記憶手段と、記憶手段の複数の記憶領域のいずれかを選択する選択手段と、赤外線検出手段により検出された赤外線エネルギーおよび選択手段により選択された記憶領域に記憶される放射率に基づいて測定対象物の温度を算出する算出手段と、測定対象物の検出のためのしきい値を設定する設定手段と、算出手段により算出された測定対象物の温度と設定手段により設定されたしきい値とを比較することにより測定対象物の検出状態を判定する判定手段と、算出手段により算出された温度を出力する温度出力部と、判定手段の判定結果を出力する判定結果出力部とを備えたものである。
【０００６】
本発明に係る放射温度計においては、測定対象物からの赤外線エネルギーが赤外線検出手段により検出される。記憶手段の複数の記憶領域に物体の放射率がそれぞれ記憶される。選択手段により複数の記憶領域のいずれかが選択される。設定手段により測定対象物の検出のためのしきい値が設定される。算出手段により、赤外線検出手段により検出された赤外線エネルギーおよび選択手段により選択された記憶領域に記憶される放射率に基づいて測定対象物の温度が算出される。算出された温度は温度出力部により出力される。また、判定手段により、算出手段により算出された温度と設定手段により設定されたしきい値とが比較され、測定対象物の検出状態が判定される。判定結果は判定結果出力部により出力される。
【０００７】
この場合、使用者が測定対象物に応じて記憶領域のいずれかを選択することにより、その記憶領域に記憶された放射率に基づいて測定対象物の温度が算出される。そのため、使用者は、種々の物体の放射率を覚えておく必要がなく、また測温の際に放射率表等を携帯する必要もない。その結果、測温作業が効率化される。
【０００８】
また、算出された温度と設定されたしきい値とを比較することにより測定対象物の検出状態が判定されるので、放射温度計を物体の有無または変化を検出する検出装置としても利用することができる。
【０００９】
さらに、測定された温度および判定結果が温度出力部および判定結果出力部により出力されるので、使用者は測定温度および判定結果を容易に認識することができる。
【００１０】
複数の記憶領域は、さらに設定手段により設定されたしきい値をそれぞれ記憶し、判定手段は、算出手段により算出された測定対象物の温度と選択手段により選択された記憶領域に記憶されたしきい値とを比較することにより測定対象物の検出状態を判定してもよい。
【００１１】
この場合、使用者は、記憶領域のいずれかを選択することにより、測定対象物に応じた放射率としきい値とを同時に決定することができる。それにより、作業効率がより向上する。
【００１２】
第２の発明に係る放射温度計は、測定対象物からの赤外線エネルギーを検出する赤外線検出手段と、物体の放射率をそれぞれ記憶する複数の記憶領域を含む記憶手段と、赤外線検出手段により検出された赤外線エネルギーおよび複数の記憶領域にそれぞれ記憶された放射率に基づいて測定対象物の温度をそれぞれ算出する算出手段と、算出手段により算出された複数の温度をそれぞれ出力する複数の温度出力部とを備えたものである。
【００１３】
本発明に係る放射温度計においては、測定対象物からの赤外線エネルギーが赤外線検出手段により検出される。記憶手段の複数の記憶領域に物体の放射率がそれぞれ記憶される。選択手段により複数の記憶領域のいずれかが選択される。算出手段により、赤外線検出手段により検出された赤外線エネルギーおよび複数の記憶領域にそれぞれ記憶される放射率に基づいて測定対象物の温度がそれぞれ算出される。算出された複数の温度は複数の温度出力部により出力される。
【００１４】
この場合、複数の温度出力部により複数の放射率に基づいた複数の温度が出力されるので、使用者は複数の温度のうち測定対象物に応じた適切な温度を利用することができる。したがって、測定対象物が変わっても、使用者が放射率を変更することなく測定対象物の正確な温度を得ることができる。また、使用者は、種々の物体の放射率を覚えておく必要がなく、また測温の際に放射率表等を携帯する必要もない。これらの結果、測温作業が効率化される。
【００１５】
複数の記憶領域は、さらに測定対象物の検出のためのしきい値をそれぞれ記憶し、算出手段により算出された複数の温度と複数の記憶領域にそれぞれ記憶されたしきい値とを比較することにより測定対象物の検出状態をそれぞれ判定する判定手段と、判定手段による複数の判定結果をそれぞれ出力する複数の判定結果出力部とをさらに備えてもよい。
【００１６】
この場合、算出された複数の温度と複数の記憶領域にそれぞれ記憶されたしきい値とを比較することにより測定対象物の検出状態が判定されるので、放射温度計を物体の有無または変化を検出する検出装置としても利用することができる。また、複数の判定結果出力部により複数のしきい値を用いた複数の判定結果が出力されるので、使用者は複数の判定結果のうち測定対象物に応じた適切な判定結果を利用することができる。したがって、測定対象物が変わっても、使用者がしきい値を変更することなく測定対象物の正確な検出状態を得ることができる。それにより、作業効率がさらに向上する。
【００１７】
第３の発明に係る放射温度計は、測定対象物からの赤外線エネルギーを検出する赤外線検出手段と、複数の記憶領域を含みかつ各記憶領域が複数の物体の放射率を記憶する記憶手段と、複数の記憶領域のいずれかを選択する選択手段と、赤外線検出手段により検出された赤外線エネルギーおよび選択手段により選択された記憶領域に記憶された複数の放射率に基づいて測定対象物の温度をそれぞれ算出する算出手段と、算出手段により算出された複数の温度をそれぞれ出力する複数の温度出力部とを備えたものである。
【００１８】
本発明に係る放射温度計においては、測定対象物からの赤外線エネルギーが赤外線検出手段により検出される。記憶手段の複数の各記憶領域に複数の物体の放射率が記憶される。選択手段により複数の記憶領域のいずれかが選択される。算出手段により、赤外線検出手段により検出された赤外線エネルギーおよび選択手段により選択された記憶領域に記憶される複数の放射率に基づいて測定対象物の温度がそれぞれ算出される。算出された複数の温度は複数の温度出力部により出力される。
【００１９】
この場合、複数の温度出力部により複数の放射率に基づいた複数の温度が出力されるので、使用者は複数の温度のうち測定対象物に応じた適切な温度を利用することができる。したがって、測定対象物が変わっても、使用者が放射率を変更することなく測定対象物の正確な温度を得ることができる。また、使用者は、種々の物体の放射率を覚えておく必要がなく、また測温の際に放射率表等を携帯する必要もない。これらの結果、測温作業が効率化される。
【００２０】
また、記憶領域を選択することができるので、さらに多くの測定対象物の測温が可能になる。
【００２１】
記憶手段の各記憶領域は、測定対象物の検出のために複数の放射率と対応付けられた複数のしきい値をさらに記憶し、算出手段により算出された複数の温度の各々と選択手段により選択された記憶領域に記憶された対応するしきい値とを比較することにより測定対象物の検出状態をそれぞれ判定する判定手段と、判定手段による複数の判定結果をそれぞれ出力する複数の判定結果出力部とをさらに備えてもよい。
【００２２】
この場合、複数の判定結果出力部により複数のしきい値を用いた複数の判定結果が出力されるので、使用者は複数の判定結果のうち測定対象物に応じた適切な判定結果を利用することができる。したがって、測定対象物が変わっても、使用者がしきい値を変更することなく測定対象物の正確な検出状態を得ることができる。それにより、作業効率がさらに向上する。
【発明の効果】
【００２３】
本発明によれば、使用者は、種々の物体の放射率を覚えておく必要がなく、また測温の際に放射率表等を携帯する必要もない。それにより、測温作業が効率化される。
【発明を実施するための最良の形態】
【００２４】
以下、本発明の実施の形態に係る放射温度計について図面を参照しながら詳細に説明する。
【００２５】
（第１の実施の形態）
図１は、本発明の第１の実施の形態に係る放射温度計のブロック図である。図１に示すように、本実施の形態に係る放射温度計１００は、ヘッド部１００Ａおよび本体部１００Ｂを備える。
【００２６】
ヘッド部１００Ａおよび本体部１００Ｂは互いにケーブル８０により接続されている。
【００２７】
図２は、図１のヘッド部１００Ａの外観斜視図である。
【００２８】
ヘッド部１００Ａの各構成部は略直方体形状のヘッドケーシングＫに内蔵される。ヘッドケーシングＫは、上面ＫＵ、下面ＫＤ、前面ＫＦ、背面ＫＢおよび側面ＫＳ１，ＫＳ２を有する。
【００２９】
図２の説明においては、側面ＫＳ１，ＫＳ２に垂直な方向をＸ方向と呼び、前面ＫＦおよび背面ＫＢに垂直な方向をＹ方向と呼び、上面ＫＵおよび下面ＫＤに垂直な方向をＺ方向と呼ぶ。
【００３０】
図２において、ヘッドケーシングＫの前面ＫＦに赤外線集光部ＫＨおよびレーザ出射部Ｋ６０，Ｋ７０が設けられ、上面ＫＵに発光ダイオードからなる表示灯３６ａ，３６ｂ，３６ｃが設けられ、背面ＫＢにケーブル接続部ＫＪが設けられている。表示灯３６ａ，３６ｂ，３６ｃが上面ＫＵに設けられることにより、使用者は表示灯３６ａ，３６ｂ，３６ｃの点灯および点滅状況を容易に認識することができる。レーザ出力部Ｋ６０，Ｋ７０にはそれぞれ後述するレーザダイオード６０，７０が設けられる。
【００３１】
赤外線集光部ＫＨにおいては、測定対象物から放射される赤外線が取り込まれる。レーザダイオード６０，７０により発生されたレーザ光が、レーザ出射部Ｋ６０，Ｋ７０から測定箇所へ向けて出射される。それにより、使用者は測定対象物の測定箇所を容易に認識することができる。
【００３２】
ケーブル接続部ＫＪには、ケーブル８０が接続される。このケーブル８０は、上述のように本体部１００Ｂに接続される。
【００３３】
図３は図１のヘッド部１００Ａのブロック図であり、図４は図１の本体部１００Ｂのブロック図である。
【００３４】
図３に示すように、ヘッド部１００Ａは、サーモパイル１０、プリアンプ基板２０、メイン基板３０、電源基板４０および２つのレーザダイオード６０，７０を備える。
【００３５】
サーモパイル１０は、赤外線受光部１１およびサーミスタ１２を備える。プリアンプ基板２０には、第１の信号増幅部２１および第２の信号増幅部２２が実装される。メイン基板３０には、第３の信号増幅部３１、アナログデジタル変換回路（以下、ＡＤ変換回路と略記する。）３２，３３、ＣＰＵ（中央演算処理装置）３４、記憶部３５、表示灯３６ａ，３６ｂ，３６ｃおよびレーザ駆動回路３７が実装される。
【００３６】
電源基板４０には、電源回路４１、通信回路４２およびレーザ駆動回路４３が実装される。電源基板４０には、電源線および信号線を含むケーブル８０が接続されている。
【００３７】
サーモパイル１０において、赤外線受光部１１は測定対象物から放射される赤外線エネルギーを検出する。サーミスタ１２はサーモパイル１０の内部温度を検出する。
【００３８】
プリアンプ基板２０において、第１の信号増幅部２１は赤外線受光部１１の出力信号を増幅する。第２の信号増幅部２２はサーミスタ１２の出力信号を増幅する。
【００３９】
メイン基板３０において、第３の信号増幅部３１は第１の信号増幅部２１の出力信号を増幅する。ＡＤ変換回路３２は、第１の信号増幅部２１の出力信号をデジタル信号に変換し、そのデジタル信号を測定対象物の検出温度値としてＣＰＵ３４へ与える。
【００４０】
ＡＤ変換回路３３は、第２の信号増幅部２２の出力信号をデジタル信号に変換し、そのデジタル信号をサーモパイル１０の内部温度値としてＣＰＵ３４へ与える。
【００４１】
記憶部３５には、サーモパイル１０に関する情報等が記憶されている。サーモパイル１０に関する情報とは、例えば、赤外線受光部１１のゲインおよびオフセット値、サーミスタ１２のゲインおよびオフセット値、ならびにサーモパイルの測定温度範囲および温度スケール等である。
【００４２】
ＣＰＵ３４には、ＡＤ変換回路３２から与えられる検出温度値およびＡＤ変換回路３３から与えられる内部温度値が与えられる。そして、ＣＰＵ３４はこれらの検出温度値および内部温度値を通信回路４２およびケーブル８０を通じて本体部１００Ｂに与える。
【００４３】
また、ＣＰＵ３４は、ＡＤ変換回路３２の出力信号のレベルに基づいて第３の信号増幅部３１のゲインをフィードバック制御する。
【００４４】
さらに、ＣＰＵ３４は、表示灯３６ａ，３６ｂ，３６ｃ、レーザ駆動回路３７および電源基板４０のレーザ駆動回路４３の動作を制御する。
【００４５】
表示灯３６ａ，３６ｂ，３６ｃは、ＣＰＵ３４の制御により後述するバンクＢ１〜Ｂ３に対応する検出信号のオン状態またはオフ状態を点灯または消灯により表示する。それにより、使用者は、検出信号の状態を容易に確認することができる。また、レーザ駆動回路３７は、ＣＰＵ３４の制御によりレーザダイオード６０を駆動する。
【００４６】
電源基板４０において、電源回路４１は本体部１００Ｂからケーブル８０を通じて与えられる電力をヘッド部１００Ａの各構成部に供給する。
【００４７】
通信回路４２およびレーザ駆動回路４３は、ともに中継基板５０を介してメイン基板３０のＣＰＵ３４と接続されている。
【００４８】
通信回路４２は、上述のように、ケーブル８０を介してＣＰＵ３４と本体部１００Ｂとの間で通信を行う。レーザ駆動回路４３は、ＣＰＵ３４の制御によりレーザダイオード７０を駆動する。レーザダイオード６０，７０から出射されるレーザ光は測定対象物の測定箇所に照射される。
【００４９】
図４に示すように、本体部１００Ｂは、電源回路９１、通信回路９２、ＣＰＵ９３、表示部９４、記憶部９５、操作設定部９６および外部入出力回路９７を備える。
【００５０】
電源回路９１および通信回路９２にはケーブル８０が接続されている。電源回路９１は、電池等の電力供給源を備え、その電力を本体部１００Ｂの各構成部およびヘッド部１００Ａに供給する。通信回路９２は、ケーブル８０を介してＣＰＵ９３とヘッド部１００Ａとの間で通信を行う。
【００５１】
記憶部９５には、ＣＰＵ９３が測定対象物の温度を算出するための演算式等が記憶されている。
【００５２】
また、記憶部９５は、複数の記憶領域（以下、バンクと呼ぶ）Ｂ１，Ｂ２，Ｂ３を含む。記憶部９５の各バンクＢ１〜Ｂ３には、放射率およびしきい値が記憶されている。本実施の形態においては、バンクＢ１に第１の放射率および第１のしきい値が記憶され、バンクＢ２に第２の放射率および第２のしきい値が記憶され、バンクＢ３に第３の放射率および第３のしきい値が記憶されている。使用者は、操作設定部９６を操作することによりこれらの放射率およびしきい値を設定および変更することができる。設定された放射率およびしきい値は、記憶部９５の選択されたバンクに記憶される。
【００５３】
ＣＰＵ９３は、本体部１００Ｂの各構成部の動作を制御する。また、ＣＰＵ９３は、ヘッド部１００Ａから与えられる検出温度値および内部温度値ならびに記憶部９５から与えられる放射率に基づいて測定対象物の温度値を算出する。ここで、記憶部９５からＣＰＵ９３に与えられる放射率は、測定対象物に応じて使用者が操作設定部９６を操作してバンクを選択することにより決定される。それにより、ＣＰＵ９３は測定対象物の実際の温度（以下、実温度値と呼ぶ）を測定することができる。なお、バンクの選択は、外部入出力回路９７を介して外部から入力されるデジタル信号ＤＩにより行ってもよい。
【００５４】
また、ＣＰＵ９３は、算出された実温度値を数値として表示部９４に表示するとともに外部入出力回路９７からアナログ信号ＡＯおよびデジタル信号ＤＯとして出力端子Ｐａ，Ｐｂを介して外部に出力する。この場合、使用者は、表示部９４により容易に測定対象物の温度を確認することができる。
【００５５】
また、ＣＰＵ９３は、算出された実温度値と上記選択されたバンクに記憶されているしきい値とを比較し、比較結果を外部入出力回路９７から検出信号ＤＥＴとして出力端子Ｐｃを介して外部に出力するとともに、検出信号ＤＥＴの状態を表示部９４に表示する。さらに、ＣＰＵ９３は、検出信号ＤＥＴを図３のＣＰＵ３４に与える。ＣＰＵ３４は、与えられた検出信号ＤＥＴに基づいて、表示灯３６ａ，３６ｂ，３６ｃの点灯または消灯を制御する。使用者は、表示部９４および表示灯３６ａ，３６ｂ，３６ｃにより、検出信号ＤＥＴの状態を容易に認識することができる。
【００５６】
検出信号は、例えば、実温度値がしきい値よりも高い場合にオン状態（例えば、ハイレベル）となり、実温度値がしきい値以下の場合にオフ状態（例えば、ローレベル）となる。
【００５７】
このようにして、本実施の形態に係る放射温度計１００は、測定対象物の実温度値を表示および出力するとともに、実温度値がしきい値よりも高いか否かの判定結果（オン状態またはオフ状態）を表示および出力することができる。
【００５８】
以上のように、本実施の形態においては、測温の際に、使用者が測定対象物に応じてバンクを選択することにより、そのバンクに記憶された放射率に基づいて測定対象物の温度が測定される。そのため、使用者は、種々の物体の放射率を覚えておく必要がなく、また測温の際に放射率表を携帯する必要もない。それにより、測温作業が効率化される。
【００５９】
また、各バンクには、放射率とともにしきい値が記憶されており、そのしきい値に基づいて検出信号ＤＥＴが出力される。したがって、本実施の形態に係る放射温度計は、物体の有無または変化を検出する検出装置としても利用することができる。
【００６０】
また、各バンクに記憶される放射率およびしきい値は、使用者により任意に変更することができるので、任意の物体の測温および検出が可能になる。
【００６１】
なお、記憶部９５には、放射率およびしきい値以外に、調整感度、応答時間、センサゲイン、表示単位および出力範囲等の他のパラメータを測定対象物に応じて記憶させてもよい。それにより、測温作業がさらに効率化される。
【００６２】
また、放射率としきい値とを別のバンクに記憶させておいてもよい。この場合、放射率としきい値とを任意に選択し組み合わせることができる。例えば、測温中にしきい値のみを変更したい場合、使用者は、しきい値が記憶されているバンクのみを切り替えればよいので、測温作業がさらに効率化される。
【００６３】
また、本実施の形態においては、バンクＢ１〜Ｂ３にそれぞれ放射率およびしきい値を記憶させているが、放射率およびしきい値を記憶させるバンクの数は３つに限られず、２つまたは４つ以上のバンクにそれぞれ放射率およびしきい値を記憶させてもよい。
【００６４】
（第２の実施の形態）
第２の実施の形態に係る放射温度計が第１の実施の形態に係る放射温度計と異なるのは以下の点である。
【００６５】
図５は、第２の実施の形態に係る放射温度計の本体部１００Ｂのブロック図である。
【００６６】
第２の実施の形態に係る放射温度計においては、ＣＰＵ９３は、図３のヘッド部１００Ａから与えられる検出温度値および内部温度値ならびに記憶部９５に記憶されている第１〜第３の放射率に基づいて第１〜第３の温度値を算出する。さらに、ＣＰＵ９３は、外部入出力回路９７から、第１の温度値を第１のアナログ信号ＡＯ１および第１のデジタル信号ＤＯ１として出力端子Ｐ１，Ｐ４を介して外部に出力し、第２の温度値を第２のアナログ信号ＡＯ２および第２のデジタル信号ＤＯ２として出力端子Ｐ２，Ｐ５を介して外部に出力し、第３の温度値を第３のアナログ信号ＡＯ３および第３のデジタル信号ＤＯ３として出力端子Ｐ３，Ｐ６を介して外部に出力する。
【００６７】
また、ＣＰＵ９３は、第１の温度値と第１のしきい値とを比較し、第２の温度値と第２のしきい値とを比較し、第３の温度値と第３のしきい値とを比較し、それぞれの比較結果を外部入出力回路９７から第１の検出信号ＤＥＴ１、第２の検出信号ＤＥＴ２および第３の検出信号ＤＥＴ３として出力端子Ｐ７〜Ｐ９を介して外部に出力する。
【００６８】
以上のように、本実施の形態においては、複数の出力端子Ｐ１〜Ｐ６により複数の放射率に基づいた複数のアナログ信号ＡＯ１〜ＡＯ３および複数のデジタル信号ＤＯ１〜ＤＯ３が出力されるので、使用者は複数の出力信号のうち測定対象物に応じた適切な出力信号を利用することができる。したがって、測定対象物が変わっても、使用者が放射率を変更することなく測定対象物の正確な温度を得ることができる。
【００６９】
また、複数の出力端子Ｐ７〜Ｐ９により複数のしきい値を用いた複数の検出信号ＤＥＴ１〜ＤＥＴ３が出力されるので、使用者は複数の検出信号ＤＥＴ１〜ＤＥＴ３のうち測定対象物に応じた適切な検出信号を利用することができる。したがって、測定対象物が変わっても、使用者がしきい値を変更することなく測定対象物の正確な検出状態を得ることができる。
【００７０】
これらの結果、測温作業が効率化される。
【００７１】
（第３の実施の形態）
第３の実施の形態に係る放射温度計が第２の実施の形態にかかる放射温度計と異なるのは以下の点である。
【００７２】
図６は、第３の実施の形態に係る放射温度計の記憶部９５の概略を説明するための図である。
【００７３】
第３の実施の形態に係る放射温度計においては、記憶部９５は複数のバンクＢ４，Ｂ５，Ｂ６を含み、バンクＢ４に第１〜第３の放射率および第１〜第３のしきい値が記憶され、バンクＢ５に第４〜第６の放射率および第４〜第６のしきい値が記憶され、バンクＢ６に第７〜第９の放射率および第７〜第９のしきい値が記憶される。
【００７４】
ＣＰＵ９３に与えられる放射率およびしきい値は、使用者がバンクを選択することにより決定される。例えば、使用者がバンクＢ４を選択した場合には、ＣＰＵ９３には、第１〜第３の放射率および第１〜第３のしきい値が与えられる。
【００７５】
また、第１、第４または第７の放射率ならびに第１、第４または第７のしきい値に基づいて、第１のアナログ信号ＡＯ１、第１のデジタル信号ＤＯ１および第１の検出信号ＤＥＴ１が出力され、第２、第５または第８の放射率ならびに第２、第５または第８のしきい値に基づいて、第２のアナログ信号ＡＯ２、第２のデジタル信号ＤＯ２および第２の検出信号ＤＥＴ２が出力され、第３、第６または第９の放射率ならびに第３、第６または第９のしきい値に基づいて、第３のアナログ信号ＡＯ３、第３のデジタル信号ＤＯ３および第３の検出信号ＤＥＴ３が出力される。
【００７６】
以上のように、本実施の形態においては、使用者がバンクを切り替えることにより、各出力信号に対応する放射率およびしきい値を変更することができるので、より多くの物体の測温が可能になる。
（請求項の各構成要素と実施の形態の各部との対応）
上記実施の形態においては、サーモパイル１０が赤外線検出手段に相当し、記憶部９５が記憶手段に相当し、バンクＢ１〜Ｂ６が記憶領域に相当し、操作設定部９６またはデジタル信号ＤＩが選択手段に相当し、ＣＰＵ９３が判定手段に相当し、表示灯３６ａ，３６ｂ，３６ｃ、表示部９４および出力端子Ｐｃ，Ｐ７〜Ｐ９が判定結果出力部に相当し、表示部９４および出力端子Ｐａ，Ｐｂ，Ｐ１〜Ｐ６が温度出力部に相当する。
【産業上の利用可能性】
【００７７】
本発明は、物体から放射される赤外線エネルギーに基づいて物体の温度変化等を検出することに利用可能である。
【図面の簡単な説明】
【００７８】
【図１】本発明の第１の実施の形態に係る放射温度計のブロック図である。
【図２】図１のヘッド部の外観斜視図である。
【図３】図１のヘッド部のブロック図である。
【図４】図１の本体部のブロック図である。
【図５】第２の実施の形態に係る放射温度計の本体部のブロック図である。
【図６】第３の実施の形態に係る放射温度計の記憶部の概略を説明するための図である。
【符号の説明】
【００７９】
１０    サーモパイル
１１    赤外線受光部１１
１２    サーミスタ
３４，９３    ＣＰＵ
３５，９５    記憶部
３６ａ，３６ｂ，３６ｃ    表示灯
９４    表示部
９６    操作設定部
９７    外部入出力回路
１００    放射温度計
１００Ａ    ヘッド部
１００Ｂ    本体部
ＡＯ，ＡＯ１〜ＡＯ３    アナログ信号
Ｂ１〜Ｂ６    バンク
ＤＯ，ＤＯ１〜ＤＯ３，ＤＩ    デジタル信号
ＤＥＴ，ＤＥＴ１〜ＤＥＴ３    検出信号
Ｐａ，Ｐｂ，Ｐｃ，Ｐ１〜Ｐ９    出力端子
【図１】
2006194805.tif 000003
【図２】
2006194805.tif 000004
【図３】
2006194805.tif 000005
【図４】
2006194805.tif 000006
【図５】
2006194805.tif 000007
【図６】
2006194805.tif 000008